(57)【要約】  仮想通貨で決済する際の送金手数料を抑制することが可能な取引所の容易な選択を支援するため、仮想通貨決済支援システム（１００）は、仮想通貨が取引可能な複数の取引所のうち第１ユーザーが口座を有する第１取引所を識別可能な第１取引所情報と、前記取引所のうち第２ユーザーが口座を有する複数の第２取引所を識別可能な第２取引所情報と、複数の前記取引所のそれぞれの間の仮想通貨の送金手数料の情報を含む手数料情報とを取得する取得処理部（１１１）と、前記第１取引所情報、前記第２取引所情報、及び前記手数料情報に基づいて、前記第２取引所のうち前記第１取引所との間の前記送金手数料が最低となる前記第２取引所を特定可能な特定処理部（１１２）とを備える。
2019092795.tif 000002
【特許請求の範囲】
【請求項１】
仮想通貨が取引可能な複数の取引所のうち第１ユーザーが口座を有する第１取引所を識別可能な第１取引所情報と、前記取引所のうち第２ユーザーが口座を有する複数の第２取引所を識別可能な第２取引所情報と、複数の前記取引所のそれぞれの間の仮想通貨の送金手数料の情報を含む手数料情報とを取得する取得処理部と、
前記第１取引所情報、前記第２取引所情報、及び前記手数料情報に基づいて、前記第２取引所のうち前記第１取引所との間の前記送金手数料が最低となる前記第２取引所を特定可能な特定処理部と、
を備える仮想通貨決済支援装置。
【請求項２】
前記第１取引所の前記第１ユーザーの口座から前記特定処理部で特定された前記第２取引所の前記第２ユーザーの口座に仮想通貨を送金する決済処理部を更に備える、
請求項１に記載の仮想通貨決済支援装置。
【請求項３】
前記第１取引所情報に、前記第１ユーザーが口座を有する複数の前記第１取引所の情報が含まれ、
前記特定処理部は、前記第１取引所及び前記第２取引所の組み合わせのうち前記送金手数料が最低となる前記第１取引所及び前記第２取引所の組み合わせを特定する、
請求項１又は２に記載の仮想通貨決済支援装置。
【請求項４】
前記第１取引所情報に、前記第１取引所で送金可能な仮想通貨種別の情報が含まれ、
前記第２取引所情報に、前記第２取引所で受取可能な仮想通貨種別の情報が含まれ、
前記手数料情報に、複数の前記取引所のそれぞれの間の前記送金手数料として前記仮想通貨種別の組み合わせごとの前記送金手数料の情報が含まれ、
前記特定処理部は、前記第２取引所及び前記仮想通貨種別の組み合わせのうち前記第１取引所及び前記仮想通貨種別の組み合わせとの間の前記送金手数料が最低となる前記第２取引所及び前記仮想通貨の種別の組み合わせを特定する、
請求項１〜３のいずれかに記載の仮想通貨決済支援装置。
【請求項５】
前記第２取引所情報が記憶される第１記憶部と、
前記第１取引所情報を前記第１ユーザーが利用可能な第１ユーザー端末から取得する第１取得処理部と、
を備える、
請求項１〜４のいずれかに記載の仮想通貨決済支援装置。
【請求項６】
前記第１取得処理部は、前記第１ユーザー端末に表示されるコード情報から前記１取引所情報を読み取り可能、又は前記第１ユーザー端末から近距離無線通信で送信される前記第１取引情報を受信可能である、
請求項５に記載の仮想通貨決済支援装置。
【請求項７】
前記第１取引所情報が記憶される第２記憶部と、
前記第２取引所情報を前記第２ユーザーが利用可能な第２ユーザー端末から取得する第２取得処理部を備える、
請求項１〜４のいずれかに記載の仮想通貨決済支援装置。
【請求項８】
前記第２取得処理部は、前記第２ユーザー端末に表示されるコード情報から前記２取引所情報を読み取り可能、又は前記第２ユーザー端末から近距離無線通信で送信される前記第２取引情報を受信可能である、
請求項７に記載の仮想通貨決済支援装置。
【請求項９】
前記コード情報は、一次元コード、二次元コード、又は英数字コード（交換コード）である、
請求項６又は８に記載の仮想通貨決済支援装置。
【請求項１０】
仮想通貨が取引可能な複数の取引所のうち第１ユーザーが口座を有する第１取引所を識別可能な第１取引所情報と、第２ユーザーが口座を有する複数の第２取引所を識別可能な第２取引所情報と、複数の前記取引所のそれぞれの間の仮想通貨の送金手数料の情報を含む手数料情報とを取得する取得処理部と、
前記第１取引所情報、前記第２取引所情報、及び前記手数料情報に基づいて、前記第２取引所のうち前記第１取引所との間の前記送金手数料が最低となる前記第２取引所を特定可能な特定処理部と、
前記第１取引所の前記第１ユーザーの口座から前記特定処理部で特定された前記第２取引所の前記第２ユーザーの口座に仮想通貨を送金する決済処理部と、
を備える仮想通貨決済支援システム。
【請求項１１】
コンピューターが、
仮想通貨が取引可能な複数の取引所のうち第１ユーザーが口座を有する第１取引所を識別可能な第１取引所情報と、第２ユーザーが口座を有する複数の第２取引所を識別可能な第２取引所情報と、複数の前記取引所のそれぞれの間の仮想通貨の送金手数料の情報を含む手数料情報とを取得する取得ステップと、
前記第１取引所情報、前記第２取引所情報、及び前記手数料情報に基づいて、前記第２取引所のうち前記第１取引所との間の前記送金手数料が最低となる前記第２取引所を特定するステップと、
を実行する仮想通貨決済支援方法。
【請求項１２】
コンピューターに、
仮想通貨が取引可能な複数の取引所のうち第１ユーザーが口座を有する第１取引所を識別可能な第１取引所情報と、第２ユーザーが口座を有する複数の第２取引所を識別可能な第２取引所情報と、複数の前記取引所のそれぞれの間の仮想通貨の送金手数料の情報を含む手数料情報とを取得する取得ステップと、
前記第１取引所情報、前記第２取引所情報、及び前記手数料情報に基づいて、前記第２取引所のうち前記第１取引所との間の前記送金手数料が最低となる前記第２取引所を特定するステップと、
を実行させるための仮想通貨決済支援プログラム。
【発明の詳細な説明】
【技術分野】
【０００１】
本発明は、仮想通貨による決済を管理可能な仮想通貨決済支援装置、仮想通貨決済支援システム、仮想通貨決済支援方法、及び仮想通貨決済支援プログラムに関する。
【背景技術】
【０００２】
近年、飲食店及び家電量販店などの施設において、現金又はクレジットカードなどを用いる決済方法とは別に、ビットコインのような仮想通貨による決済方法が採用されることがある。
【発明の概要】
【発明が解決しようとする課題】
【０００３】
ところで、仮想通貨による決済は、仮想通貨取引所（以下、「取引所」と略称する）を介して行われる。このとき、支払者が口座を有する取引所と受取者が口座を有する取引所とが異なる場合には送金手数料が発生することがある。そして、受取者が有する複数の取引所の口座から任意の口座を支払先口座として選択可能な場合がある。しかしながら、支払者又は受取者は、支払者の口座と受取者の複数の口座とのそれぞれの間で必要な送金手数料を把握することが困難であるため、複数の口座から送金手数料が最低となる口座を容易に選択することができないという問題がある。【０００４】
本発明の目的は、仮想通貨で決済する際の送金手数料を抑制することが可能な取引所の容易な選択を支援することが可能な仮想通貨決済支援装置、仮想通貨決済支援システム、仮想通貨決済支援方法、及び仮想通貨決済支援プログラムを提供することにある。
【課題を解決するための手段】
【０００５】
本発明に係る仮想通貨決済支援装置は、仮想通貨が取引可能な複数の取引所のうち第１ユーザーが口座を有する第１取引所を識別可能な第１取引所情報と、前記取引所のうち第２ユーザーが口座を有する複数の第２取引所を識別可能な第２取引所情報と、複数の前記取引所のそれぞれの間の仮想通貨の送金手数料の情報を含む手数料情報とを取得する取得処理部と、前記第１取引所情報、前記第２取引所情報、及び前記手数料情報に基づいて、前記第２取引所のうち前記第１取引所との間の前記送金手数料が最低となる前記第２取引所を特定可能な特定処理部とを備える。【０００６】
本発明に係る仮想通貨決済支援システムは、仮想通貨が取引可能な複数の取引所のうち第１ユーザーが口座を有する第１取引所を識別可能な第１取引所情報と、第２ユーザーが口座を有する複数の第２取引所を識別可能な第２取引所情報と、複数の前記取引所のそれぞれの間の仮想通貨の送金手数料の情報を含む手数料情報とを取得する取得処理部と、前記第１取引所情報、前記第２取引所情報、及び前記手数料情報に基づいて、前記第２取引所のうち前記第１取引所との間の前記送金手数料が最低となる前記第２取引所を特定可能な特定処理部と、前記第１取引所の前記第１ユーザーの口座から前記特定処理部で特定された前記第２取引所の前記第２ユーザーの口座に仮想通貨を送金する決済処理部とを備える。【０００７】
本発明に係る仮想通貨決済支援方法は、コンピューターが、仮想通貨が取引可能な複数の取引所のうち第１ユーザーが口座を有する第１取引所を識別可能な第１取引所情報と、第２ユーザーが口座を有する複数の第２取引所を識別可能な第２取引所情報と、複数の前記取引所のそれぞれの間の仮想通貨の送金手数料の情報を含む手数料情報とを取得する取得ステップと、前記第１取引所情報、前記第２取引所情報、及び前記手数料情報に基づいて、前記第２取引所のうち前記第１取引所との間の前記送金手数料が最低となる前記第２取引所を特定するステップとを実行する方法である。【０００８】
本発明に係る仮想通貨決済支援プログラムは、コンピューターに、仮想通貨が取引可能な複数の取引所のうち第１ユーザーが口座を有する第１取引所を識別可能な第１取引所情報と、第２ユーザーが口座を有する複数の第２取引所を識別可能な第２取引所情報と、複数の前記取引所のそれぞれの間の仮想通貨の送金手数料の情報を含む手数料情報とを取得する取得ステップと、前記第１取引所情報、前記第２取引所情報、及び前記手数料情報に基づいて、前記第２取引所のうち前記第１取引所との間の前記送金手数料が最低となる前記第２取引所を特定するステップとを実行させるためのプログラムである。
【発明の効果】
【０００９】
本発明によれば、仮想通貨で決済する際の送金手数料を抑制することが可能な取引所の容易な選択を支援することが可能な仮想通貨決済支援装置、仮想通貨決済支援システム、仮想通貨決済支援方法、及び仮想通貨決済支援プログラムが提供される。
【図面の簡単な説明】
【００１０】
【図１】図１は、本発明の実施形態に係る仮想通貨決済支援システムの構成を示すブロック図である。
【図２】図２は、本発明の実施形態に係る仮想通貨決済支援システムで使用される手数料情報の一例を示す図である。
【図３】図３は、本発明の実施形態に係る仮想通貨決済支援システムの利用者端末で実行される利用者端末処理の手順の一例を示すフローチャートである。
【図４】図４は、本発明の実施形態に係る仮想通貨決済支援システムの仮想通貨決済支援装置で実行される決済支援処理の手順の一例を示すフローチャートである。
【図５】図５は、本発明の実施形態に係る仮想通貨決済支援システムの店舗端末で実行される店舗端末処理の手順の一例を示すフローチャートである。
【図６】図６は、本発明の実施形態に係る仮想通貨決済支援システムの利用者端末で表示されるコード読み取り画面の一例を示す図である。
【図７】図７は、本発明の実施形態に係る仮想通貨決済支援システムの利用者端末で表示される取引所選択画面の一例を示す図である。
【図８】図８は、本発明の実施形態に係る仮想通貨決済支援システムの利用者端末で表示される決済承認画面の一例を示す図である。
【図９】図９は、本発明の実施形態に係る仮想通貨決済支援システムの構成を示すブロック図である。
【図１０】図１０は、本発明の実施形態に係る仮想通貨決済支援システムの利用者端末で実行される送金先選択処理の手順の一例を示すフローチャートである。
【図１１】図１１は、本発明の実施形態に係る仮想通貨決済支援システムの利用者端末で表示される取引所選択画面の一例を示す図である。
【図１２】図１２は、本発明の実施形態に係る仮想通貨決済支援システムで利用される第１対応情報の一例を示す図である。
【図１３】図１３は、本発明の実施形態に係る仮想通貨決済支援システムで利用される第２対応情報の一例を示す図である。
【図１４】図１４は、本発明の実施形態に係る仮想通貨決済支援システムの利用者端末で実行される利用者端末処理の手順の一例を示すフローチャートである。
【図１５】図１５は、本発明の実施形態に係る仮想通貨決済支援システムで使用される手数料情報の一例を示す図である。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定するものではない。
【００１２】
［第１実施形態］
まず、本発明の第１実施形態に係る仮想通貨決済支援システム１００について説明する。
【００１３】
［仮想通貨決済支援システム１００］
図１に示すように、仮想通貨決済支援システム１００は、仮想通貨決済支援装置１と店舗端末２と利用者端末３とを含む。本実施形態においては、利用者端末３の所有者である利用者が第１ユーザーの一例であり、利用者端末３が第１ユーザー端末の一例である。また、店舗端末３が設定される飲食店が第２ユーザーの一例であり、店舗端末２が第２ユーザー端末の一例である。
【００１４】
仮想通貨決済支援装置１、店舗端末２、及び利用者端末３は、インターネット、ＬＡＮ、ＷＡＮ、又は公衆電話回線などの通信網Ｎ１を介して通信可能である。また、仮想通貨決済支援装置１、店舗端末２、及び利用者端末３は、ＮＦＣ（Ｎｅａｒ  Ｆｉｅｌｄ  Ｃｏｍｍｕｎｉｃａｔｉｏｎ）又はＢｌｕｅｔｏｏｔｈ（登録商標）などの近距離無線通信規格に従って通信可能であってもよい。
【００１５】
［仮想通貨決済支援装置１］
仮想通貨決済支援装置１は、飲食店などの施設の利用者からの依頼に応じて、前記施設の利用料について仮想通貨を用いた決済を支援する機能を有する。なお、仮想通貨には、例えばビットコイン、イーサリアム、又はリップルなどが含まれる。
【００１６】
以下では、前記施設が飲食店であり、前記施設の利用料が前記飲食店の飲食代である場合について説明する。ただし、本発明は、飲食店における飲食代の決済に限らず、宿泊施設における宿泊料金の決済、ゴルフ場におけるプレイ料金の決済など、任意の施設における各種の決済に適用可能である。また、施設における決済に限らず、例えばインターネット上におけるネットショップ又はネットサービスに対する決済についても適用可能である。
【００１７】
ところで、仮想通貨による決済は、仮想通貨取引所（以下、「取引所」と略称する）を介して行われる。このとき、支払者が口座を有する取引所と受取者が口座を有する取引所とが異なる場合には送金手数料が発生することがある。そして、受取者が有する複数の取引所の口座から任意の口座を支払先口座として選択可能な場合がある。しかしながら、支払者又は受取者は、支払者の口座と受取者の複数の口座とのそれぞれの間で必要な送金手数料を把握することが困難であるため、複数の口座から送金手数料が最低となる口座を容易に選択することができないという問題がある。これに対して、本実施形態に係る仮想通貨決済支援システム１００では、以下で説明するように、仮想通貨で決済する際の送金手数料を抑制することが可能な取引所の容易な選択を支援することが可能である。
【００１８】
図１に示されるように、仮想通貨決済支援装置１は、制御部１１、記憶部１２、操作表示部１３、及び通信Ｉ／Ｆ１４などを備えるサーバーコンピューターである。なお、仮想通貨決済支援装置１は、１台のコンピューターに限らず、複数台のコンピューターが協働して動作するコンピューターシステムであってもよい。また、仮想通貨決済支援装置１で実行される各種の処理は、複数のプロセッサーによって分散して実行されてもよい。
【００１９】
通信Ｉ／Ｆ１４は、仮想通貨決済支援装置１を有線又は無線で通信網Ｎ１に接続し、通信網Ｎ１を介して店舗端末２、利用者端末３などの外部機器との間で所定の通信プロトコルに従ったデータ通信を実行するための通信インターフェースである。
【００２０】
操作表示部１３は、各種の情報を表示する液晶ディスプレイ又は有機ＥＬディスプレイのような表示部と、操作を受け付けるマウス、キーボード、又はタッチパネルなどの操作部とを備えるユーザーインターフェースである。
【００２１】
記憶部１２は、各種の情報を記憶する半導体メモリ、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などを含む不揮発性の記憶部である。具体的に、記憶部１２には、手数料情報Ｄ１などのデータが記憶される。ここに、図２は手数料情報Ｄ１の一例を示す図である。
【００２２】
手数料情報Ｄ１は、仮想通貨が取引可能な複数の取引所のそれぞれの間の仮想通貨の送金に要する送金手数料に関する情報である。具体的に、手数料情報Ｄ１には、送金元取引所、送金先取引所、及び仮想通貨種別の組み合わせごとに対応する送金手数料が記録されている。例えば、送金元取引所が「ＡＡＡ取引所」、送金先取引所が送金元取引所と同じ「ＡＡＡ取引所」、仮想通貨種別が「Ｂｉｔｃｏｉｎ」である場合の送金手数料は「０」である。一方、例えば、送金元取引所が「ＡＡＡ取引所」、送金先取引所が送金元取引所とは異なる「ＢＢＢ取引所」、仮想通貨種別が「Ｂｉｔｃｏｉｎ」である場合の送金手数料は「０．００００５ＢＴＣ」である。なお、手数料情報Ｄ１は、仮想通貨決済支援装置１の管理者によって予め記憶部１２に登録され、適宜更新される。また、手数料情報Ｄ１は、制御部１１によって所定のタイミングで特定のサーバーから自動的にダウンロードされて更新されてもよい。なお、送金手数料は、マイナスの値であってもよい。また、手数料情報Ｄ１には、取引所を利用した場合に利用者に還元される金額又はポイントなどの還元情報が含まれていてもよい。
【００２３】
さらに、記憶部１２には、制御部１１に後述の決済支援処理（図３参照）を実行させるための仮想通貨決済支援プログラムなどの制御プログラムが記憶されている。例えば、前記仮想通貨決済支援プログラムは、ＣＤ又はＤＶＤなどのコンピューター読取可能な記録媒体に非一時的に記録されており、仮想通貨決済支援装置１が備えるＣＤドライブ又はＤＶＤドライブなどの読取装置（不図示）で読み取られて記憶部１２に記憶される。
【００２４】
制御部１１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部１１は、前記ＲＯＭ又は記憶部１２に予め記憶された各種の制御プログラムを前記ＣＰＵで実行することにより仮想通貨決済支援装置１を制御する。
【００２５】
具体的に、制御部１１は、図１に示されるように、取得処理部１１１及び特定処理部１１２などの各種の処理部を含む。なお、制御部１１は、前記ＣＰＵで前記仮想通貨決済支援プログラムに従った各種の処理を実行することによって前記各種の処理部として機能する。また、制御部１１に含まれる一部又は全部の処理部が電子回路で構成されていてもよい。なお、前記仮想通貨決済支援プログラムは、複数のプロセッサーを前記各種の処理部として機能させるためのプログラムであってもよい。
【００２６】
取得処理部１１１は、手数料情報Ｄ１、第１取引所情報、及び第２取引所情報を取得するための処理を実行する。具体的に、取得処理部１１１は、記憶部１２から手数料情報Ｄ１を読み出すことにより当該手数料情報Ｄ１を取得する。なお、本実施形態では、仮想通貨決済支援装置１に、手数料情報Ｄ１が記憶されている場合について説明する。一方、手数料情報Ｄ１は、仮想通貨決済支援装置１が、通信網Ｎ１などを介して取得可能であれば、他のサーバー装置などに記憶されていてもよい。
【００２７】
また、取得処理部１１１は、利用者端末３から送信される後述の特定処理依頼を受信し、当該特定処理依頼から前記第１取引所情報及び前記第２取引所情報を抽出することにより、当該第１取引所情報及び当該第２取引所情報を取得する。
【００２８】
前記第１取引所情報は、仮想通貨が取引可能な複数の取引所のうち利用者端末３の利用者が口座を有する取引所（以下、「第１取引所」と称する）に関する情報である。具体的に、前記第１取引所情報には、前記第１取引所の口座について、当該第１取引所を識別するための第１取引所識別情報及び当該第１取引所で取引可能な仮想通貨種別の情報が含まれる。
【００２９】
前記第２取引所情報は、仮想通貨が取引可能な複数の取引所のうち店舗端末２が設置された飲食店が口座を有する一又は複数の取引所（以下、「第２取引所」と称する）に関する情報である。具体的に、前記第２取引所情報には、一又は複数の前記第２取引所の口座について、当該第２取引所を識別するための第２取引所識別情報及び当該第２取引所で取引可能な仮想通貨種別の情報が含まれる。
【００３０】
特定処理部１１２は、前記第１取引所情報、前記第２取引所情報、及び手数料情報Ｄ１に基づいて、前記第２取引所のうち前記第１取引所との間の前記送金手数料が最低となる前記第２取引所を特定する。なお、前記送金手数料が最低となる前記第２取引所が複数存在する場合には、当該第２取引所のうち予め設定された優先順位が最も高い第２取引所が選択されることが考えられる。
【００３１】
なお、他の実施形態として、取得処理部１１１及び特定処理部１１２の一部又は全部の処理部が、店舗端末２又は利用者端末３に設けられてもよい。
【００３２】
［店舗端末２］
図１に示されるように、店舗端末２は、制御部２１、記憶部２２、操作表示部２３、及び通信Ｉ／Ｆ２４などを備える。店舗端末２は、飲食店に配置され、飲食店の従業員によって操作される。店舗端末２は、例えば携帯電話、スマートフォン、タブレット端末、又はパーソナルコンピューターのような情報処理装置である。例えば、１台の据置端末（レジ端末）と従業員が携帯する複数の携帯端末（オーダーエントリー端末）とが店舗端末２として飲食店に配置されてもよい。
【００３３】
通信Ｉ／Ｆ２４は、店舗端末２を有線又は無線で通信網Ｎ１に接続し、通信網Ｎ１を介して仮想通貨決済支援装置１などの外部機器との間で所定の通信プロトコルに従ったデータ通信を実行するための通信インターフェースである。
【００３４】
操作表示部２３は、各種の情報を表示する液晶ディスプレイ又は有機ＥＬディスプレイのような表示部と、操作を受け付けるマウス、キーボード、又はタッチパネルなどの操作部とを備えるユーザーインターフェースである。
【００３５】
記憶部２２は、各種の情報を記憶するフラッシュメモリーなどの不揮発性の記憶部である。例えば、記憶部２２には、制御部２１に後述の店舗端末処理（図７参照）を実行させるための店舗端末プログラムなどの制御プログラムが記憶されている。例えば、前記店舗端末プログラムは、ＣＤ又はＤＶＤなどのコンピューター読取可能な記録媒体に非一時的に記録されており、店舗端末２に電気的に接続されるＣＤドライブ又はＤＶＤドライブなどの読取装置（不図示）で読み取られて記憶部２２に記憶される。また、記憶部２２には、飲食店に設置されているテーブルごとに注文された飲食物のリスト及び金額などを含むオーダー履歴情報（不図示）が記憶される。
【００３６】
また、記憶部２２には、飲食店が仮想通貨の受取口座として利用可能な口座を有する取引所に関する第２取引所情報が記憶される。即ち、記憶部２２が第１記憶部の一例である。例えば、前記第２取引所情報は、店舗端末２のユーザー操作に応じて記憶部２２に記憶される。前記第２取引所情報には、取引所識別情報、仮想通貨種別、及びアドレス情報などが含まれる。取引所識別情報は、取引所のＩＤ又は名称などの情報である。仮想通貨種別は、前記取引所の口座で受取可能な仮想通貨の種別を示す情報である。アドレス情報は、前記取引所の口座に仮想通貨を送金する際の宛先となる情報である。
【００３７】
制御部２１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１は、前記ＲＯＭ又は記憶部２２に予め記憶された各種の制御プログラムを前記ＣＰＵで実行することにより店舗端末２を制御する。
【００３８】
具体的に、制御部２１は、注文処理部２１１、算出処理部２１２、コード生成処理部２１３、及び出力処理部２１４などの各種の処理部を含む。なお、制御部２１は、前記ＣＰＵで前記店舗端末プログラムに従った各種の処理を実行することによって前記各種の処理部として機能する。また、制御部２１に含まれる一部又は全部の処理部が電子回路で構成されていてもよい。なお、前記店舗端末プログラムは、複数のプロセッサーを前記各種の処理部として機能させるためのプログラムであってもよい。
【００３９】
注文処理部２１１は、飲食店内のテーブルごとに利用者から受け付ける注文内容をオーダー履歴情報として記憶部２２に記憶する。なお、前記利用者による注文内容は、例えば店舗端末２の操作表示部２３を通じて従業員によって入力される。もしくは、前記利用者による注文内容は、従業員が携帯するオーダーエントリー端末を通じて入力されてもよい。
【００４０】
算出処理部２１２は、注文処理部２１１により受け付けられて記憶された前記オーダー履歴情報に基づいて各テーブルの利用者に対する日本円などの現実通貨（現金）における請求金額を算出する。また、算出処理部２１２は、各種の仮想通貨のレートを管理する特定のウェブサイト等から現実通貨と仮想通貨との関係を取得し、前記請求金額に対応する仮想通貨の額を算出することが可能である。
【００４１】
出力処理部２１３は、算出処理部２１２によって算出される請求金額の情報と、前記第２取引情報とを含む二次元コードなどのコード情報を出力する。具体的に、出力処理部２１３は、前記コード情報を操作表示部２３に表示させる。なお、前記飲食店には、利用者ごと又は利用者のグループごとにテーブルトップオーダー端末（不図示）が設けられることがある。この場合、出力処理部２１３は、前記利用者又は前記利用者のグループに対応する前記テーブルトップオーダー端末に前記コード情報を表示させてもよい。前記利用者は、前記テーブルトップオーダー端末に表示されたコード情報を利用者端末３で読み取ることが可能である。なお、前記テーブルトップオーダー端末に前記コード情報を表示させる場合、出力処理部２１３は、前記利用者による特定操作（例えば、会計ボタンの操作）に応じて前記コード情報を前記テーブルトップオーダー端末に表示させてもよい。
【００４２】
前記コード情報は、２次元コードに限らず、バーコードのような一次元コード又は英数字コード（交換コード）のような任意のコードであってもよい。また、前記コード情報には、利用者に対する請求金額の情報及び前記第２取引所情報に加えて、店舗識別情報、テーブル番号、伝票番号、入店日時などの任意の情報が含まれていてもよい。
【００４３】
なお、他の実施形態として、注文処理部２１１、算出処理部２１２、コード生成処理部２１３、及び出力処理部２１４の一部又は全部の処理部が仮想通貨決済支援装置１に設けられてもよい。
【００４４】
［利用者端末３］
図１に示されるように、利用者端末３は、制御部３１、記憶部３２、操作表示部３３、通信Ｉ／Ｆ３４、及びカメラ３５などを備える。利用者端末３は、飲食店の利用者が所有する携帯端末であり、例えばスマートフォン、携帯電話、又はタブレット端末のような情報処理装置である。
【００４５】
カメラ３５は、被写体の画像を撮像してデジタル画像データとして出力するデジタルカメラである。そして、利用者端末３において、カメラ３５は、前記コード情報の読み取りに用いられる。
【００４６】
通信Ｉ／Ｆ３４は、利用者端末３を有線又は無線で通信網Ｎ１に接続し、通信網Ｎ１を介して仮想通貨決済支援装置１などの外部機器との間で所定の通信プロトコルに従ったデータ通信を実行するための通信インターフェースである。
【００４７】
操作表示部３３は、各種の情報を表示する液晶ディスプレイ又は有機ＥＬディスプレイのような表示部と、操作を受け付けるマウス、キーボード、又はタッチパネルなどの操作部とを備えるユーザーインターフェースである。
【００４８】
記憶部３２は、各種の情報を記憶するフラッシュメモリーなどの不揮発性の記憶部である。例えば、記憶部３２には、制御部３１に後述の利用者端末処理（図５参照）を実行させるための利用者端末プログラムなどの制御プログラムが記憶されている。例えば、前記利用者端末プログラムは、ＣＤ又はＤＶＤなどのコンピューター読取可能な記録媒体に非一時的に記録されており、利用者端末３に電気的に接続されるＣＤドライブ又はＤＶＤドライブなどの読取装置（不図示）で読み取られて記憶部３２に記憶される。
【００４９】
また、記憶部３２には、利用者が仮想通貨の送金元口座として利用可能な口座を有する取引所に関する第１取引所情報が記憶される。即ち、記憶部３２が第２記憶部の一例である。例えば、前記第１取引所情報は、利用者端末３のユーザー操作に応じて記憶部３２に記憶される。
【００５０】
制御部３１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部３１は、前記ＲＯＭ又は記憶部３２に予め記憶された各種の制御プログラムを前記ＣＰＵで実行することにより利用者端末３を制御する。
【００５１】
具体的に、制御部３１は、読取処理部３１１及び決済処理部３１２などの各種の処理部を含む。なお、制御部３１は、前記ＣＰＵで前記利用者端末プログラムに従った各種の処理を実行することによって前記各種の処理部として機能する。例えば、前記利用者端末プログラムは、前記第１取引所から提供される仮想通貨の管理ソフトウェアを利用して所定の処理を実行する。また、制御部３１に含まれる一部又は全部の処理部が電子回路で構成されていてもよい。なお、前記利用者端末プログラムは、複数のプロセッサーを前記各種の処理部として機能させるためのプログラムであってもよい。
【００５２】
読取処理部３１１は、カメラ３５により撮像されるデジタル画像に前記コード情報が含まれている場合に、前記コード情報から請求金額の情報及び前記第２取引所情報などを読み取る。
【００５３】
決済処理部３１２は、前記第２取引所情報に含まれるいずれかの口座を送金先として、前記請求金額に対応する額の仮想通貨を送金する決済処理を実行する。例えば、前記決済処理は、前記第１取引所から提供される仮想通貨の管理ソフトウェアを利用して実行される。
【００５４】
［利用者端末処理］
以下、図３を参照しつつ、利用者端末３の制御部３１によって実行される利用者端末処理について説明する。例えば、制御部３１は、仮想通貨決済を行うための利用者の操作に応じて前記利用者端末プログラムに従った前記利用者端末処理を開始する。なお、前記利用者端末処理は、利用者端末３における所定操作に応じて途中で終了されることがある。
【００５５】
また、利用者端末３は、仮想通貨決済の他にも、クレジットカード決済又はその他の電子決済を行うことが可能な場合があるが、それらについては説明を省略する。例えば、制御部３１は、利用者の操作に応じて、複数の決済手法のうち仮想通貨決済が選択された場合には当該利用者端末処理を開始し、その他の決済手法が選択された場合にはその選択された決済手法に対応する処理を開始することが考えられる。
【００５６】
また、本発明は、前記利用者端末処理、後述の決済支援処理、及び後述の店舗端末処理に含まれる一又は複数のステップを実行する仮想通貨決済支援方法の発明として捉えることができる。なお、ここで説明する前記利用者端末処理に含まれる一又は複数のステップが適宜省略されてもよい。また、前記利用者端末処理における各ステップは、同様の作用効果を生じる範囲で実行順序が異なってもよい。さらに、ここでは制御部３１によって前記利用者端末処理における各ステップが実行される場合を例に挙げて説明するが、他の実施形態では、複数のプロセッサーによって前記利用者端末処理における各ステップが分散して実行されてもよい。
【００５７】
＜ステップＳ１１＞
ステップＳ１１において、制御部３１の読取処理部３１１は、コード情報の読み取りを開始する。具体的に、読取処理部３１１は、図６に示されるようなコード読み取り画面Ｐ０を操作表示部３３に表示させ、カメラ３５による画像の撮影を開始する。コード読み取り画面Ｐ０は、店舗端末２に表示されるコード情報又は店舗端末２などで発行される伝票に印刷されたコード情報をカメラ３５で撮影して読み取るための画面である。そして、読取処理部３１１は、カメラ３５で撮影される画像にコード情報が含まれる場合に、当該コード情報を読み取る。なお、読取処理部３１１は、近距離無線通信を用いて店舗端末２から前記コード情報を受信してもよい。
【００５８】
＜ステップＳ１２＞
ステップＳ１２において、制御部３１の読取処理部３１１は、カメラ３５から出力される画像データに基づいて、カメラ３５で撮影された画像からコード情報が読み取られたか否かを判断する。ここで、前記コード情報が読み取られたと判断されると（Ｓ１２：Ｙｅｓ）、処理がステップＳ１３に移行し、前記コード情報が読み取られるまでの間は（Ｓ１２：Ｎｏ）、処理がステップＳ１２で待機する。
【００５９】
＜ステップＳ１３＞
ステップＳ１３において、制御部３１は、前記コード情報に仮想通貨決済を行うための情報が含まれているか否かを判断する。具体的に、制御部３１は、前記コード情報に仮想通貨の支払い額及び前記第２取引所情報が含まれている場合に、前記コード情報に仮想通貨情報が含まれていると判断する。なお、前記仮想通貨の支払い額には、前記第２取引所情報に含まれる一又は複数の第２取引所で受取可能な仮想通貨の種別それぞれに対応する支払い額が含まれる。また、前記コード情報には、今回の決済についての現金による請求金額の情報なども含まれる。
【００６０】
ここで、前記コード情報に仮想通貨決済を行うための情報が含まれていないと判断されると（Ｓ１３：Ｎｏ）、エラー等が報知された後、処理がステップＳ１２に戻される。一方、前記コード情報に仮想通貨決済を行うために必要な情報が含まれていると判断されると（Ｓ１３：Ｙｅｓ）、処理がステップＳ１４に移行する。
【００６１】
＜ステップＳ１４＞
ステップＳ１４において、制御部３１は、仮想通貨の送金元口座及び仮想通貨の種別の入力操作を受け付ける。例えば、利用者端末３の利用者によって予め登録されて記憶部３２に記憶されている仮想通貨の送金元口座が複数存在する場合、制御部３１は、当該送金元口座から今回利用する口座を選択するための操作画面を表示させ、ユーザーによる選択操作を受け付ける。また、利用者端末３の利用者によって予め登録されて記憶部３２に記憶されている仮想通貨の送金元口座が一つである場合、制御部３１は、当該口座を今回利用する口座として自動的に選択してもよい。さらに、制御部３１は、ユーザー操作に応じて、送金元口座として利用する口座の新規入力操作を受け付け、記憶部３２に記憶することも可能である。
【００６２】
また、今回利用する口座として選択された口座から支払可能な仮想通貨の種別が複数存在する場合、制御部３１は、当該仮想通貨の種別から今回利用する仮想通貨の種別を選択するための操作画面を表示させ、ユーザーによる選択操作を受け付ける。ここで、前記操作画面には、前記支払可能な仮想通貨の種別のうち、前記第２取引所情報に含まれる仮想通貨の種別のみが表示されてもよい。また、今回利用する口座として選択された口座から支払可能な仮想通貨の種別が一つである場合、制御部３１は、当該仮想通貨の種別を今回利用する仮想通貨の種別として自動的に選択してもよい。さらに、制御部３１は、利用者端末３に登録されている口座のうち残高のある仮想通貨の種別のみを選択候補として表示させてもよい。なお、制御部３１は、先に仮想通貨の種別を選択させる画面を表示させて仮想通貨の種別の選択操作を受け付けた後、選択された種別の仮想通貨が支払可能な口座を表示させて口座の選択操作を受け付けてもよい。
【００６３】
＜ステップＳ１５＞
ステップＳ１５において、制御部３１は、仮想通貨の送金先口座の入力操作の受け付けを開始する。具体的に、制御部３１は、図７に示されるような取引所選択画面Ｐ１を操作表示部３３に表示させる。
【００６４】
図７に示される取引所選択画面Ｐ１には、今回の決済について、現金による請求金額と、前記ステップＳ１４で選択された仮想通貨による支払い額とが表示される。また、取引所選択画面Ｐ１には、取引所を自動選択させるための操作キーＫ１１と、利用可能な取引所から任意の取引所を選択するための操作キーＫ１２とが表示されている。具体的に、制御部３１は、前記第２取引所情報に含まれる第２取引所のうち、前記ステップＳ１４で選択された仮想通貨の受け取りが可能な口座のある第２取引所に対応する操作キーＫ１２を取引所選択画面Ｐ１に表示させる。なお、前記利用者が利用可能な電子決済サービスが複数存在する場合には、制御部３１は、前記取引所選択画面Ｐ１もしくは別の画面（電子決済サービス選択画面）において、今回の決済に利用すべき電子決済サービスの選択操作を受け付けてもよい。
【００６５】
＜ステップＳ１６＞
ステップＳ１６において、制御部３１は、送金先の取引所の手動選択操作が行われたか否かを判断する。具体的に、制御部３１は、操作キーＫ１２のいずれかの選択操作が行われた場合に、手動選択操作が行われたと判断する。ここで、手動選択操作が行われたと判断されると（Ｓ１６：Ｙｅｓ）、処理がステップＳ２０に移行する。また、手動選択操作が行われていないと判断されると（Ｓ１６：Ｎｏ）、処理がステップＳ１７に移行する。
【００６６】
＜ステップＳ１７＞
ステップＳ１７において、制御部３１は、送金先の取引所の自動選択操作が行われたか否かを判断する。具体的に、制御部３１は、操作キーＫ１１が操作された場合に、自動選択操作が行われたと判断する。ここで、自動選択操作が行われたと判断されると（Ｓ１７：Ｙｅｓ）、処理がステップＳ１８に移行する。また、自動選択操作が行われていないと判断されると（Ｓ１７：Ｎｏ）、処理がステップＳ１６に戻される。
【００６７】
＜ステップＳ１８＞
ステップＳ１８において、制御部３１は、送金先口座の候補となる口座のある第２取引所のうち、送金元口座の第１取引所との間で、送金対象となる種別の仮想通貨の送金についての送金手数料が最低となる第２取引所を特定するための処理を実行する。なお、制御部３１が、送金先口座の候補のうち、送金元口座との間で、送金対象となる種別の仮想通貨の送金についての送金手数料が最低となる口座を特定することも、送金手数料が最低となる取引所を特定することと同義である。
【００６８】
具体的に、制御部３１は、手数料が最低となる第２取引所を特定するための取引所特定依頼を仮想通貨決済支援装置１に送信する。前記取引所特定依頼には、利用者端末３の利用者を識別するための利用者識別情報、利用者端末３の利用者が口座を有する第１取引所に関する第１取引所情報、及び店舗端末２が設置された店舗が口座を有する第２取引所に関する第２取引情報などの情報が含まれる。なお、本実施形態において、前記第１取引所情報は記憶部３２に記憶されているが、制御部３１が、前記第１取引所から供給される管理ソフトを実行してログインし、前記第１取引所のサーバー装置などに記憶されている前記第１取引所情報を読み出してもよい。
【００６９】
そして、後述するように、仮想通貨決済支援装置１では、第２取引所のうち第１取引所との間で送金手数料が最低となる第２取引所が特定され、その特定された第２取引所の情報が利用者端末３に送信される。これにより、利用者端末３は、送金先口座の候補となる口座のある第２取引所のうち、送金元口座の第１取引所との間で、送金対象となる種別の仮想通貨の送金についての送金手数料が最低となる第２取引所を特定することが可能である。
【００７０】
＜ステップＳ１９＞
ステップＳ１９において、制御部３１は、送金先口座の候補のうち前記ステップＳ１８で特定された第２取引所の口座を送金先として設定する。これにより、送金先口座の候補の中から送金手数料が最低となる口座が自動的に選択されることになる。
【００７１】
＜ステップＳ２０＞
ステップＳ２０において、制御部３１は、今回の決済について利用者が承認操作を行うための決済承認画面Ｐ２を操作表示部３３に表示させる。ここに、図８は、決済承認画面Ｐ２の一例を示す図である。決済承認画面Ｐ２には、前記ステップＳ１２で読み取られたコード情報に含まれている請求金額及び当該請求金額に対応する仮想通貨の支払い額が表示される。また、決済承認画面Ｐ２には、前記請求金額の送金先の取引所名及びアドレス情報と、今回の送金に必要な送金手数料とが表示される。さらに、決済承認画面Ｐ２には、前記請求金額の決済を承認するための操作キーＫ２１、及び決済をキャンセルするための操作キーＫ２２が表示される。なお、操作キーＫ２１の操作に際してパスワード入力又は指紋照合などの認証処理が実行されてもよい。
【００７２】
＜ステップＳ２１＞
ステップＳ２１において、制御部３１は、決済承認操作が行われたか否かを判断する。例えば、制御部３１は、決済承認画面Ｐ２に含まれる操作キーＫ２１が操作された場合に、前記決済承認操作が行われたと判断する。一方、決済承認画面Ｐ２に含まれる操作キーＫ２１が操作されるまでの間は、前記決済承認操作が行われていないと判断する。そして、前記決済承認操作が行われたと判断されると（Ｓ２１：Ｙｅｓ）、処理がステップＳ２２に移行する。なお、決済承認画面Ｐ２に含まれる操作キーＫ２２が操作された場合には、今回の決済がキャンセルされ、当該利用者端末処理は終了する。
【００７３】
＜ステップＳ２２＞
ステップＳ２２において、制御部３１の決済処理部３１２は、仮想通貨による送金処理を実行する。具体的に、決済処理部３１２は、前記ステップＳ１６又はＳ１９で選択された口座を送金先として、送金元口座から決済金額に対応する額の仮想通貨を送金するための送金指示を取引所に送信する。これにより、送金元口座から送金先の口座に仮想通貨が送金されることになり、利用者端末３の操作表示部３３には、送金完了画面などが表示される。なお、前記送金処理は、例えば利用者端末３に予めインストールされている仮想通貨の管理ソフトを用いて行われる。
【００７４】
［決済支援処理］
次に、図６を参照しつつ、仮想通貨決済支援装置１の制御部１１によって実行される決済支援処理について説明する。例えば、制御部１１は、利用者端末３からのアクセスに応じて前記仮想通貨決済支援プログラムの実行を開始することによって、前記決済支援処理の実行を開始する。なお、制御部１１は、複数の利用者端末３からアクセスされた場合に、利用者端末３ごとに前記決済支援処理を個別に並行して実行してもよい。
【００７５】
なお、ここで説明する前記決済支援処理に含まれる一又は複数のステップが適宜省略されてもよい。また、前記決済支援処理における各ステップは、同様の作用効果を生じる範囲で実行順序が異なってもよい。さらに、ここでは制御部１１によって前記決済支援処理における各ステップが実行される場合を例に挙げて説明するが、他の実施形態では、複数のプロセッサーによって前記決済支援処理における各ステップが分散して実行されてもよい。
【００７６】
＜ステップＳ３１＞
ステップＳ３１において、制御部１１は、利用者端末３から手数料が最低となる取引所を特定するための取引所特定依頼の受信を待ち受ける（Ｓ３１：Ｎｏ）。そして、前記取引所特定依頼を受信したと判断されると（Ｓ３１：Ｙｅｓ）、処理がステップＳ３２に移行する。前述したように、前記取引所特定依頼には、前記利用者識別情報、前記第１取引所情報、及び前記第２取引所情報などが含まれる。
【００７７】
＜ステップＳ３２＞
ステップＳ３２において、制御部１１の取得処理部１１１は、利用者端末３から受信した前記取引所特定依頼に含まれる前記第１取引所情報を抽出して取得する。また、他の実施形態として、記憶部１２に利用者各々に対応する前記第１取引所情報が予め記憶されており、取得処理部１１１が、前記利用者識別情報に対応する利用者の前記第１取引所情報を記憶部１２から読み出して取得することも考えられる。
【００７８】
＜ステップＳ３３＞
ステップＳ３３において、制御部１１の取得処理部１１１は、利用者端末３から受信した前記取引所特定依頼に含まれる前記第２取引所情報を抽出して取得する。また、他の実施形態として、記憶部１２に飲食店各々に対応する前記第２取引所が予め記憶されており、取得処理部１１１が、前記店舗識別情報に対応する飲食店の前記第２取引所情報を記憶部１２から読み出して取得することも考えられる。
【００７９】
＜ステップＳ３４＞
ステップＳ３４において、制御部１１の取得処理部１１１は、記憶部１２に記憶されている手数料情報Ｄ１を読み出して取得する。なお、取得処理部１１１は、インターネット等を介して特定のサーバー装置から手数料情報Ｄ１を取得してもよい。
【００８０】
＜ステップＳ３５＞
ステップＳ３５において、制御部１１は、前記ステップＳ３２〜Ｓ３４で取得した前記第１取引所情報、前記第２取引所情報、及び手数料情報Ｄ１に基づいて、前記第２取引所のうち前記第１取引所との間の前記送金手数料が最低となる前記第２取引所を特定する。例えば、前記第１取引所が「ＡＡＡ」であり、前記第２取引所が「ＡＡＡ」、「ＢＢＢ」、「ＣＣＣ」である場合、手数料情報Ｄ１によれば、送金手数料は、「ＡＡＡ」及び「ＡＡＡ」の組み合わせが最も低く「０」であり、前記第２取引所のうち「ＡＡＡ」が、前記送金手数料が最低の取引所として特定される。一方、前記第１取引所が「ＡＡＡ」であり、前記第２取引所が「ＢＢＢ」、「ＣＣＣ」である場合、手数料情報Ｄ１によれば、送金手数料は、「ＡＡＡ」及び「ＢＢＢ」の組み合わせが最も低く「０．００００５」であり、前記第２取引所のうち「ＢＢＢ」が、前記送金手数料が最低の取引所として特定される。なお、送金手数料がマイナスの値（例えば「−０．００００５」など）である場合には、送金手数料が「０」である場合よりも送金手数料が低いと判断される。
【００８１】
さらに、手数料情報Ｄ１には、取引所を利用した場合に利用者に還元される金額又はポイントなどの還元情報が含まれていてもよい。そして、制御部１１は、前記ステップＳ３５において前記送金手数料が最低となる前記第２取引所を特定する際には、手数料情報Ｄ１における前記送金手数料の値と前記還元情報とに基づいて前記送金手数料が実質的に最低となる前記第２取引所を特定することが考えられる。具体的には、前記第１取引所との間の前記送金手数料から利用者に還元される金額又はポイントを引いた値が最低となる第２取引所が特定されることが考えられる。例えば、前記第１取引所との間の前記送金手数料が同じ前記第２取引所が複数存在する場合には、当該第２取引所のうち利用者に還元される金額又はポイントが最も高い第２取引所が特定されることになる。なお、前記ポイントが金額と等価でない場合も考えられ、この場合、前記第２取引所の特定の際には、当該ポイントを予め設定された換算比率により金額に換算されることが考えられる。
【００８２】
＜ステップＳ３６＞
ステップＳ３６において、制御部１１は、前記ステップＳ３５で送金手数料が最低となる送金先の取引所として特定された前記第２取引所の情報を利用者端末３に送信する。これにより、利用者端末３では、前記第２取引所のうち送金手数料が最低となる取引所を把握することが可能である。
【００８３】
［店舗端末処理］
次に、図５を参照しつつ、店舗端末２の制御部２１によって実行される店舗端末処理について説明する。例えば、制御部２１は、飲食店の従業員により、仮想通貨による決済の開始操作に応じて前記店舗端末プログラムに従って前記店舗端末処理の実行を開始する。なお、前記店舗端末処理は、店舗端末２における所定操作に応じて途中で終了されることがある。なお、制御部２１は、飲食店に設置されているテーブルごと（すなわち、飲食店を利用する利用客ごと又は利用客のグループごと）に、前記店舗端末処理を個別に並行して実行する。
【００８４】
なお、ここで説明する前記店舗端末処理に含まれる一又は複数のステップが適宜省略されてもよい。また、前記店舗端末処理における各ステップは、同様の作用効果を生じる範囲で実行順序が異なってもよい。さらに、ここでは制御部２１によって前記店舗端末処理における各ステップが実行される場合を例に挙げて説明するが、他の実施形態では、複数のプロセッサーによって前記店舗端末処理における各ステップが分散して実行されてもよい。
【００８５】
＜ステップＳ５１＞
ステップＳ５１において、制御部２１は、特定のテーブルについて会計処理の開始要求を待ち受ける（Ｓ５１：Ｎｏ）。具体的に、制御部２１は、店舗端末２に対する会計開始操作が行われた場合に、前記会計処理の開始要求が行われたと判断する。例えば、制御部２１は、会計対象のテーブルに対して発行される伝票のコードが読み取られた場合に、当該テーブルについての会計処理の開始要求が行われたと判断する。ここで、前記会計処理の開始要求が行われたと判断されると（Ｓ５１：Ｙｅｓ）、処理がステップＳ５２に移行する。
【００８６】
＜ステップＳ５２＞
ステップＳ５２において、制御部２１の算出処理部２１２は、特定のテーブルについての前記会計処理の開始要求に応じて、当該テーブルについて請求すべき請求金額を算出する。具体的に、制御部２１は、前記オーダー履歴情報に基づいて、前記特定のテーブルについての請求金額を算出すると共に、当該請求金額に対応する仮想通貨の支払い額を算出する。
【００８７】
＜ステップＳ５３＞
ステップＳ５３において、制御部２１のコード生成処理部２１３は、前記ステップＳ５２で算出された請求金額及び仮想通貨による支払い額の情報と、店舗端末２が設置された飲食店を識別するための店舗識別情報と、当該飲食店に対応する前記第２取引所情報とを含むコード情報を生成する。
【００８８】
＜ステップＳ５４＞
ステップＳ５４において、制御部２１の出力処理部２１４は、前記ステップＳ５３で生成された前記コード情報を前記操作表示部２３に表示出力する。なお、制御部２１は、前記コード情報を印刷出力してもよい。これにより、利用者は、利用者端末３を用いて前記コード情報を読み取ることが可能である。なお、出力処理部２１４は、近距離無線通信を用いて利用者端末３に前記コード情報を送信してもよい。
【００８９】
以上説明したように、本実施形態に係る仮想通貨決済支援システム１００では、飲食店で決済に利用可能な口座がある第２取引所のうち、利用者が口座を有する第１取引所との間の送金手数料が最低となる第２取引所が特定可能である。従って、仮想通貨で決済する際の送金手数料を抑制することが可能な第２取引所の容易な選択を支援することが可能となる。また、自動的に送金手数料が最低となる第２取引所が特定されるため、利用者端末３で第２取引所各々との間の送金手数料を個別に確認する場合に比べて、プログラム実行の高速化が図られると共に、メモリ使用量が抑制される。
【００９０】
［他の実施形態］
以下、本発明の他の実施形態について説明する。なお、以下の実施形態では、前述した第１実施形態に係る仮想通貨決済支援システム１００と同様の構成については説明を省略し、主に異なる点について説明する。
【００９１】
［第２実施形態］
前記第１実施形態では、送金手数料が最低となる取引所の特定処理が仮想通貨決済支援装置１で行われる場合を例に挙げて説明した。本実施形態では、前記特定処理が利用者端末３で実行される場合について説明する。ここに、図９は、本実施形態に係る仮想通貨決済支援システム１００の一例を示す図である。
【００９２】
図９に示されるように、本実施形態に係る仮想通貨決済支援システム１００では、利用者端末３が仮想通貨決済支援装置の一例であり、仮想通貨決済支援装置１が省略されている。そして、利用者端末３の制御部３１は、取得処理部３１３、特定処理部３１４、及び設定処理部３１５を更に含む。また、利用者端末３の記憶部３２には、手数料情報Ｄ１が記憶されている。
【００９３】
取得処理部３１３は、前記第１取引所情報、前記第２取引所情報、及び手数料情報Ｄ１を取得する。特定処理部３１４は、前記第１取引所情報、前記第２取引所情報、及び手数料情報Ｄ１に基づいて、前記第２取引所のうち前記第１取引所との間の前記送金手数料が最低となる前記第２取引所を特定する。設定処理部３１５は、特定処理部３１４で特定される前記第２取引所の口座を前記第１取引所からの前記仮想通貨の送金先口座として設定する。
【００９４】
［送金先選択処理］
具体的に、利用者端末３の制御部３１は、前記ステップＳ１８〜Ｓ１９に代えて、送金手数料が最低となる送金先を自動で設定するための送金先選択処理を実行する。ここに、図１０は、前記送金先選択処理の一例を示すフローチャートである。
【００９５】
＜ステップＳ７１＞
ステップＳ７１において、制御部３１の取得処理部３１３は、利用者端末３の利用者の前記第１取引所情報を記憶部３２から読み出すことにより取得する。なお、取得処理部３１３が、前記第１取引所から供給される管理ソフトを実行してログインし、前記第１取引所のサーバー装置などに記憶されている前記第１取引所情報を読み出して取得してもよい。
【００９６】
＜ステップＳ７２＞
ステップＳ７２において、制御部３１の取得処理部３１３は、飲食店の前記第２取引所情報を前記コード情報から抽出して取得する。
【００９７】
＜ステップＳ７３＞
ステップＳ７３において、制御部３１の取得処理部３１３は、手数料情報Ｄ１を記憶部３２から読み出すことによって取得する。
【００９８】
＜ステップＳ７４＞
ステップＳ７４において、制御部３１の特定処理部３１４は、前記ステップＳ７１〜Ｓ７３で取得された前記第１取引所情報、前記第２取引所情報、及び手数料情報Ｄ１に基づいて、前記第２取引所のうち前記第１取引所との間の前記送金手数料が最低となる前記第２取引所を特定する。
【００９９】
＜ステップＳ７５＞
ステップＳ７５において、制御部３１の設定処理部３１５は、前記第２取引所情報に含まれる第２取引所のうち前記ステップＳ７４で特定された第２取引所の口座に対応するアドレス情報を利用者端末３で行われる今回の決済における送金先として設定する。なお、前記ステップＳ７５において、設定処理部３１５が、前記送金先の設定を利用者に確認させるための操作画面を操作表示部３３に表示させ、ユーザーによる確認操作に応じて前記送金先の設定を確定させてもよい。
【０１００】
これにより、利用者端末３では、前記ステップＳ２０以降の処理において前記ステップＳ７５で設定された送金先を宛先として仮想通貨を送金するための処理が実行されることになる。
【０１０１】
以上説明したように、本実施形態に係る仮想通貨決済支援システム１００においても、飲食店で決済に利用可能な口座がある第２取引所のうち、利用者が口座を有する第１取引所との間の送金手数料が最低となる第２取引所が特定可能である。従って、仮想通貨で決済する際の送金手数料を抑制することが可能な第２取引所の容易な選択を支援することが可能となる。また、自動的に送金手数料が最低となる第２取引所を特定するための処理が利用者端末３で実行されるため、前述の仮想通貨決済支援装置１などとの間の通信が不要となり、データ通信料が抑制されると共に、プログラム実行の高速化が図られる。
【０１０２】
［第３実施形態］
前記第１実施形態及び前記第２実施形態では、利用者の口座から飲食店の口座に仮想通貨が送金される場合について説明した。本実施形態では、利用者の口座から決済代行者の口座に仮想通貨が送金される構成について説明する。即ち、本実施形態では、飲食店が仮想通貨の口座を有していない場合にも、利用者による仮想通貨を用いた決済を実現することが可能な仮想通貨決済支援システム１００について説明する。
【０１０３】
まず、本実施形態において、仮想通貨決済支援装置１では、記憶部１２に、前記決済代行者が口座を有する一又は複数の取引所（以下、「代行取引所」と称する）に関する代行取引所情報が記憶されている。前記代行取引所情報には、前記取引所識別情報、前記仮想通貨種別、及び前記アドレス情報などが含まれる。
【０１０４】
＜ステップＳ５３＞
本実施形態において、店舗端末２で実行される前記店舗端末処理（図５参照）では、前記ステップＳ５３において、前記請求金額及び仮想通貨による支払い額を含み、前記第２取引所情報を含まないコード情報が生成される。また、前記コード情報に前記第２取引所情報が含まれていてもよい。
【０１０５】
＜ステップＳ１８＞
本実施形態において、利用者端末３で実行される利用者端末処理（図３参照）では、前記ステップＳ１５〜Ｓ１７の処理が省略される。そして、前記ステップＳ１８において、制御部３１は、前記取引所特定依頼として、前記第１取引所情報などの情報を仮想通貨決済支援装置１に送信する。また、前記取引所特定依頼に前記第２取引所情報が含まれていてもよい。
【０１０６】
＜ステップＳ３３＞
一方、仮想通貨決済支援装置１で実行される決済支援処理（図４参照）では、前記ステップＳ３３において、制御部１１が、記憶部１２から前記代行取引所情報を読み出すことによって、当該代行取引所情報を取得する。ここに、本実施形態では、前記決済代行者が第２ユーザーの一例であり、前記代行取引所情報が第２取引所情報の一例である。
【０１０７】
＜ステップＳ３５＞
そして、ステップＳ３５において、制御部１１は、前記第１取引所情報と、前記代行取引所情報と、手数料情報Ｄ１とに基づいて、前記代行取引所のうち前記第１取引所との間の前記送金手数料が最低となる前記代行取引所を特定する。
【０１０８】
これにより、本実施形態に係る仮想通貨決済支援システム１００では、決済代行者が決済に利用可能な口座の取引所のうち、利用者が口座を有する取引所との間の送金手数料が最低となる取引所が特定可能であるため、その取引所を送金先として選択して決済を行うことが可能となる。また、本実施形態に係る仮想通貨決済支援システム１００によれば、飲食店に、仮想通貨の取引所の口座がなくても、利用者は、決済代行者を介して決済を行うことが可能である。なお、決済代行者から飲食店には、現実通貨又は仮想通貨などを用いる予め定められた手法で対価が提供されればよい。
【０１０９】
また、前記コード情報及び前記取引所特定依頼に前記第２取引所情報が含まれており、前記ステップＳ３５において、制御部１１が、前記第１取引所情報と、前記第２取引所情報と、前記代行取引所情報と、手数料情報Ｄ１とに基づいて、前記第２取引所及び前記代行取引所のうち前記第１取引所との間の前記送金手数料が最低となる取引所を特定することも考えられる。これにより、本実施形態に係る仮想通貨決済支援システム１００では、飲食店又は決済代行者が決済に利用可能な口座の取引所のうち、利用者が口座を有する取引所との間の送金手数料が最低となる取引所が特定可能であるため、その取引所を送金先として選択して決済を行うことが可能となる。
【０１１０】
また、前記第２実施形態と同様に、利用者端末３の記憶部３２に、前記代行取引所情報が記憶されており、制御部３１が、前記第１取引所情報と、前記代行取引所情報と、手数料情報Ｄ１とに基づいて、前記代行取引所のうち前記第１取引所との間の前記送金手数料が最低となる前記代行取引所を特定してもよい。さらに、前記コード情報及び前記取引所特定依頼に前記第２取引所情報が含まれており、制御部３１が、前記第１取引所情報と、前記第２取引所情報と、前記代行取引所情報と、手数料情報Ｄ１とに基づいて、前記第２取引所及び前記代行取引所のうち前記第１取引所との間の前記送金手数料が最低となる取引所を特定することも考えられる。
【０１１１】
［第４実施形態］
前記第１実施形態〜前記第３実施形態では、送金手数料が最低となる取引所が送金先として自動的に選択される場合を例に挙げて説明した。本実施形態では、利用者が、送金手数料を考慮して送金先を任意に選択可能な構成について説明する。
【０１１２】
具体的に、仮想通貨決済支援装置１で実行される前記ステップＳ３５〜Ｓ３６（図４参照）では、送金先の取引所の候補ごとに対応する送金手数料が手数料情報Ｄ１から抽出され、利用者端末３に通知されることが考えられる。また、利用者端末３で実行される前記ステップＳ７４〜Ｓ７５（図１０参照）では、送金先の取引所の候補ごとに対応する送金手数料が手数料情報Ｄ１から抽出されてもよい。
【０１１３】
そして、利用者端末３では、前記ステップＳ２０において決済承認画面Ｐ２が表示される前に、制御部３１が、前記送金先の取引所の候補から送金先を選択するための取引所選択画面Ｐ３を操作表示部３３に表示させる。ここに、図１１は、取引所選択画面Ｐ３の一例を示す図である。
【０１１４】
図１１に示されるように、取引所選択画面Ｐ３では、前記送金先の取引所の候補ごとに対応する操作キーＫ１２に、当該取引所の名称と共に前記送金手数料が表示されている。特に、制御部３１は、前記送金先の取引所の候補に対応する操作キーＫ１２を前記送金手数料が低いものから順に上位に優先して表示させる。その後、制御部３１は、取引選択画面Ｐ３で取引所が選択されると、前記ステップＳ２０以降の処理を実行し、当該取引所に対する仮想通貨の送金が行われる。
【０１１５】
以上説明したように、本実施形態に係る仮想通貨決済支援システム１００では、決済に利用可能な口座の取引所各々について送金手数料が表示されるため、利用者は、その送金手数料を容易に把握しつつ送金先の取引所を選択することが可能である。
【０１１６】
［第５実施形態］
ところで、利用者端末３の利用者が複数の取引所の口座において同種の仮想通貨を所有していることが考えられる。そして、利用者端末３では、制御部３１が、利用者が有する複数の第１取引所の口座の情報の登録操作を受け付けて記憶部３２に記憶することが可能な構成が考えられる。
【０１１７】
＜ステップＳ１８＞
具体的に、前記ステップＳ１８（図３参照）で送信される前記取引所特定依頼には、利用者が有する複数の取引所の口座の情報が前記第１取引所情報として含まれる。なお、この場合、前記ステップＳ１４は省略されてもよいが、前記ステップＳ１４において複数の口座の情報が登録可能であってもよい。
【０１１８】
＜ステップＳ３５＞
そして、仮想通貨決済支援装置１で実行される前記ステップＳ３５（図４参照）では、一又は複数の第１取引所と一又は複数の第２取引所との組み合わせのうち、送金手数料が最低となる取引所の組み合わせが特定される。その後、前記ステップＳ３６では、前記ステップＳ３５で特定された、送金手数料が最低となる取引所の組み合わせが利用者端末３に送信される。これにより、利用者端末３では、前記ステップＳ１９において、仮想通貨決済支援装置１から受信した、送金手数料が最低となる取引所の組み合わせに基づいて、送金元の口座と送金先の口座とが選択される。
【０１１９】
＜ステップＳ７４＞
なお、前記第２実施形態で説明したように、利用者端末３で送金手数料が最低となる取引所の特定処理が実行される場合には、前記ステップＳ７４において、一又は複数の第１取引所と一又は複数の第２取引所との組み合わせのうち、送金手数料が最低となる取引所の組み合わせが特定される。これにより、利用者端末３では、前記ステップＳ７５において、送金手数料が最低となる取引所の組み合わせに基づいて、送金元の口座と送金先の口座とが選択される。
【０１２０】
以上説明したように、本実施形態に係る仮想通貨決済支援システム１００では、利用者が有する取引所の口座と飲食店で利用可能な取引所の口座との組み合わせのうち送金手数料が最低となる組み合わせで決済が行われることになる。
【０１２１】
［第６実施形態］
また、利用者端末３の利用者が複数種別の仮想通貨の口座を所有していることがある。同様に、店舗端末２が設置された飲食店も複数種別の仮想通貨の口座を有していることがある。この場合、仮想通貨決済支援システム１００では、複数の仮想通貨種別のうち、利用者と飲食店との間で送金手数料が最低となる前記第１取引所、前記第２取引所、及び前記仮想通貨種別の組み合わせが特定されることが考えられる。この場合、ステップＳ１４の処理が省略される。
【０１２２】
＜ステップＳ３５〜Ｓ３６＞
具体的に、前記ステップＳ３５（図４参照）では、前記第１取引所及び前記仮想通貨種別と前記第２取引所及び前記仮想通貨種別との組み合わせのうち、送金手数料が最低となる前記第１取引所、前記第２取引所、及び前記仮想通貨種別の組み合わせが手数料情報Ｄ１に基づいて特定される。その後、前記ステップＳ３６では、前記ステップＳ３５で特定された、送金手数料が最低となる前記第１取引所、前記第２取引所、及び前記仮想通貨種別の組み合わせが利用者端末３に送信される。これにより、利用者端末３では、前記ステップＳ１９において、送金手数料が最低となる前記第１取引所、前記第２取引所、及び前記仮想通貨種別の組み合わせに基づいて、送金元の口座と送金先の口座とが選択される。
【０１２３】
＜ステップＳ７４〜Ｓ７５＞
なお、前記第２実施形態で説明したように、利用者端末３で送金手数料が最低となる取引所の特定処理が実行される場合には、前記ステップＳ７４において、前記第１取引所及び前記仮想通貨種別と前記第２取引所及び前記仮想通貨種別との組み合わせのうち、送金手数料が最低となる前記第１取引所、前記第２取引所、及び前記仮想通貨種別の組み合わせが手数料情報Ｄ１に基づいて特定される。これにより、利用者端末３では、前記ステップＳ７５において、送金手数料が最低となる前記第１取引所、前記第２取引所、及び前記仮想通貨種別の組み合わせに基づいて、送金元の口座と送金先の口座とが選択される。
【０１２４】
以上説明したように、本実施形態に係る仮想通貨決済支援システム１００では、利用者が有する第１取引所及び仮想通貨種別と飲食店で利用可能な第２取引所及び仮想通貨種別との組み合わせのうち送金手数料が最低となる組み合わせで決済が行われることになる。
【０１２５】
［第７実施形態］
なお、店舗端末２で決済処理が実行されることも考えられる。
【０１２６】
具体的に、利用者端末３の制御部３１が、ユーザー操作に応じて、前記第１取引所情報を含むコード情報を生成して操作表示部３３に表示出力し、店舗端末２が備えるカメラ（不図示）で前記コード情報が読み取られる。なお、利用者端末３から店舗端末２に近距離無線通信を用いて前記コード情報が送信されてもよい。
【０１２７】
そして、店舗端末２では、制御部２１が、前記第１取引所情報と、前記第２取引所情報と、手数料情報Ｄ１とに基づいて、送金手数料が最低となる第１取引所及び第２取引所を選択する。その後、制御部２１は、今回の決済についての承認画面を操作表示部２３に表示させ、ユーザーによる確認操作に応じて前記第１取引所から前記第２取引所への送金依頼を当該第１取引所のサーバー装置に送信する決済処理を実行する。
【０１２８】
［第８実施形態］
本実施形態では、仮想通貨決済支援装置１において、利用者の口座から飲食店の口座に仮想通貨を送金するための処理が実行される構成について説明する。即ち、本実施形態では、仮想通貨決済支援装置１が、利用者の口座から飲食店の口座への仮想通貨の送金を代行する構成について説明する。
【０１２９】
具体的に、仮想通貨決済支援装置１の記憶部１２に、利用者識別情報と第１取引所情報との対応関係を示す第１対応情報Ｄ２（図１２参照）と、店舗識別情報と第２取引情報との対応関係を示す第２対応情報Ｄ３（図１３参照）とが予め記憶される。なお、仮想通貨決済支援装置１の制御部１１は、前記第１対応情報Ｄ２及び前記第２対応情報Ｄ３を利用者端末３又は店舗端末２のユーザー操作に応じて登録又は編集することが可能である。また、店舗端末２の出力処理部２１３は、店舗識別情報と請求金額の情報とを含むコード情報を出力する。そして、仮想通貨決済支援装置１の制御部１１は、図１４に示す決済支援処理を実行する。なお、前記決済支援処理（図４参照）と同様の処理手順については同じ符号を付しており、その説明を省略することがある。
【０１３０】
＜ステップＳ３１＞
ステップＳ３１において、制御部１１は、利用者端末３からの取引所特定依頼を待ち受ける。本実施形態において、利用者端末３から送信される前記取引所特定依頼には、利用者識別情報と店舗識別情報とが含まれる。これにより、制御部１１は、送金元の利用者識別情報と送金先の店舗識別情報を特定可能である。
【０１３１】
＜ステップＳ３２〜Ｓ３３＞
前記ステップＳ３２において、制御部１１は、前記利用者識別情報と、記憶部１２に記憶されている第１対応情報Ｄ２に基づいて、送金元の利用者の口座の取引所の情報を取得する。同様に、前記ステップＳ３３において、制御部１１は、前記店舗識別情報と、記憶部１２に記憶されている第２対応情報Ｄ３に基づいて、送金先の飲食店の口座の取引所の情報を取得する。
【０１３２】
＜ステップＳ３７＞
そして、ステップＳ３７において、制御部１１は、利用者端末３からの送金指示を待ち受ける（Ｓ３７：Ｎｏ）。ここで、利用者端末３から送金指示を受信したと判断されると（Ｓ３７：Ｙｅｓ）、処理がステップＳ３８に移行する。
【０１３３】
＜ステップＳ２２＞
一方、利用者端末３では、前記ステップＳ２２で実行される前記送金処理において、決済処理部３１２が、前記ステップＳ１６又はＳ１９で選択された口座を送金先として、送金元口座から決済金額に対応する仮想通貨を送金するための送金指示を仮想通貨決済支援装置１に送信する。例えば、前記送金指示には、送金元口座のパスワードと、送金先のアドレス情報と、送金する仮想通貨の額とが含まれる。
【０１３４】
＜ステップＳ３８＞
そして、ステップＳ３８において、制御部１１は、利用者端末３から受信した前記送金指示に基づいて、ステップＳ１６又はＳ１９で選択された口座を送金先として、前記送金指示に含まれる仮想通貨の額を送金元口座から送金するための送金指示を取引所に送信する。なお、前記送金指示には、利用者端末３から受信した前記パスワードなどの情報も含まれる。また、前記パスワードは、前記利用者端末３ごとに対応付けてこれにより、送金元口座から送金先の口座に仮想通貨が送金されることになり、送金後には仮想通貨決済支援装置１から利用者端末３に送金完了情報などが送信されて当該利用者端末３で表示される。なお、前記送金処理は、例えば仮想通貨決済支援装置１に予めインストールされている仮想通貨の管理ソフトを用いて行われる。
【０１３５】
また、前記決済支援処理において、前記ステップＳ３６〜Ｓ３７が省略され、前記ステップＳ３５で特定された送金元及び送金先の取引所に基づいて前記ステップＳ３８における送金指示が行われてもよい。即ち、送金手数料が最低となる送金先の取引所が特定された場合に、ユーザー操作を伴わずにそのまま当該取引所への送金が実行されることが考えられる。
【０１３６】
なお、前記コード情報に前記第２取引所情報が含まれており、前記取引所特定依頼に、利用者の口座の取引所の情報を示す前記第１取引所情報と、飲食店の口座の取引所の情報を示す前記第２取引所情報とが含まれていてもよい。この場合、制御部３１は、前記ステップＳ３２において前記取引所特定依頼から前記第１取引所情報を取得し、前記ステップＳ３３において前記取引所特定依頼から前記第２取引所情報を取得することになる。また、前記第２取引所情報Ｄ３が記憶部１２に記憶されており、前記取引所特定依頼に利用者の口座の取引所の情報を示す前記第１取引所情報と前記店舗識別情報とが含まれることも考えられる。同様に、前記第１取引所情報Ｄ２が記憶部１２に記憶されており、前記取引所特定依頼に飲食店の口座の取引所の情報を示す前記第２取引所情報と前記利用者識別情報とが含まれることも考えられる。
【０１３７】
［第９実施形態］
ところで、利用者の口座から飲食店の口座への仮想通貨の送金に要する前記送金手数料には、当該送金の取引を確認するマイナーに報酬として支払われるマイニング手数料と、送金元の取引所及び送金元の取引所のいずれか一方又は両方に当該送金の取引について支払われる決済手数料とが含まれることがある。ここに、図１５は、手数料情報Ｄ１（図２参照）の他の例である手数料情報Ｄ１１を示す図である。図１５に示されるように、手数料情報Ｄ１１には、手数料の情報として、マイニング手数料及び決済手数料が区別して記憶されている。そして、仮想通貨決済支援システム１００では、手数料情報Ｄ１１に基づいて、手数料が最低となる取引所の組み合わせが特定されることになる。
【０１３８】
具体的に、まず第１の特定手法として、仮想通貨決済支援装置１の制御部１１によって、前記ステップＳ３５で、手数料が最低となる取引所の組み合わせが特定される際、手数料情報Ｄ１１に基づいて、前記マイニング手数料が最低となる組み合わせで取引所が特定されることが考えられる。これにより、送金者である利用者が負担する送金手数料を抑制することが可能である。
【０１３９】
また、第２の特定手法として、手数料が最低となる取引所の組み合わせが特定される際、手数料情報Ｄ１１に基づいて、前記決済手数料が最低となる組み合わせで取引所が特定されてもよい。これにより、前記決済手数料を利用者が負担する場合には、当該利用者が負担する送金手数料を抑制することが可能である。一方、前記決済手数料を飲食店が負担する場合には、当該飲食店が負担する送金手数料を抑制することが可能である。同じく、前記決済手数料を利用者及び飲食店で分担する場合には、当該利用者及び飲食店が負担する送金手数料を抑制することが可能である。
【０１４０】
さらに、第３の特定手法として、手数料が最低となる取引所の組み合わせが特定される際、手数料情報Ｄ１１に基づいて、前記マイニング手数料及び前記決済手数料の合計が最低となる組み合わせで取引所が特定されてもよい。
【０１４１】
例えば、制御部１１は、前記第１の特定手法、前記第２の特定手法、及び前記第３の特定手法のいずれかを、店舗端末２又は利用者端末３のユーザー操作に応じて送金処理ごとに選択可能であることが考えられる。もちろん、前記第１の特定手法、前記第２の特定手法、及び前記第３の特定手法のいずれかが予め初期設定として選択されていてもよい。なお、ここでは、仮想通貨決済支援装置１の制御部１１によって前記取引所の組み合わせが特定される場合について説明するが、前記各実施形態で説明したように店舗端末２又は利用者端末３で特定される際にも同様である。
【図１】
2019092795.tif 000003
【図２】
2019092795.tif 000004
【図３】
2019092795.tif 000005
【図４】
2019092795.tif 000006
【図５】
2019092795.tif 000007
【図６】
2019092795.tif 000008
【図７】
2019092795.tif 000009
【図８】
2019092795.tif 000010
【図９】
2019092795.tif 000011
【図１０】
2019092795.tif 000012
【図１１】
2019092795.tif 000013
【図１２】
2019092795.tif 000014
【図１３】
2019092795.tif 000015
【図１４】
2019092795.tif 000016
【図１５】
2019092795.tif 000017
【手続補正書】
【提出日】令和2年4月21日(2020.4.21)
【手続補正１】
【補正対象書類名】特許請求の範囲
【補正対象項目名】請求項３
【補正方法】変更
【補正の内容】
【請求項３】
前記第１取引所情報に、前記第１ユーザーが口座を有する複数の前記第１取引所の情報が含まれ、
前記特定処理部は、複数の前記第１取引所及び複数の前記第２取引所における前記第１取引所及び前記第２取引所の組み合わせのうち前記送金手数料が最低となる前記第１取引所及び前記第２取引所の組み合わせを特定する、
請求項１又は２に記載の仮想通貨決済支援装置。
【国際調査報告】
2019092795.tif 000018
2019092795.tif 000019
2019092795.tif 000020
2019092795.tif 000021